【手続補正書】
【提出日】平成28年4月4日(2016.4.4)
【手続補正１】
【補正対象書類名】特許請求の範囲
【補正対象項目名】全文
【補正方法】変更
【補正の内容】
【特許請求の範囲】
【請求項１】
少なくとも１つのセンサと処理回路とを含み、前記処理回路が視覚出力を生成するべく取り込まれたライトフィールド画像データを処理するように構成された、ライトフィールド画像取り込み装置において、取り込まれたライトフィールド画像データのサイズを減らす方法であって、
前記少なくとも１つのセンサで、マイクロレンズアレイの出力を表すライトフィールド画像データを取り込むことと、
前記少なくとも１つのセンサの読出しモードを決定することと、
前記取り込まれたライトフィールド画像データのデータサイズを減らすために、前記決定された読出しモードに従って及び前記少なくとも１つのセンサ上のピクセルのライトフィールド座標に基づいて、空間的に変化するように、前記取り込まれたライトフィールド画像データを前処理することと、
前記取り込まれ前処理されたライトフィールド画像データを前記処理回路に送ることと、
を含む、方法。
【請求項２】
前記取り込まれたライトフィールド画像データの前処理が、前記取り込まれたライトフィールド画像データに、サブサンプリング、ビンニング、及び再サンプリングからなる群から選択された少なくとも１つを行うことを含む、請求項１に記載の方法。
【請求項３】
前記取り込まれたライトフィールド画像データの前処理が、前記取り込まれたライトフィールド画像データにサブサンプリング、ビンニング、及び再サンプリングからなる群から選択された少なくとも１つを行う前に、前記取り込まれたライトフィールド画像データをフィルタリングすることを含む、請求項２に記載の方法。
【請求項４】
前記取り込まれたライトフィールド画像データの前処理が、前記少なくとも１つのセンサ上の少なくとも１つのピクセルのライトフィールド座標に基づいて、前記少なくとも１つのセンサ上の前記少なくとも１つのピクセルをスキップすることを含む、請求項１に記載の方法。
【請求項５】
前記取り込まれたライトフィールド画像データの前処理の前に、
前記取り込まれたライトフィールド画像データの少なくとも一部を、前記少なくとも１つのセンサのローカルメモリにバッファすることと、
前記ローカルメモリから前記取り込まれたライトフィールド画像データの少なくとも一部にアクセスすることと、
をさらに含む、請求項１に記載の方法。
【請求項６】
前記決定された読出しモードに従って前記取り込まれたライトフィールド画像データを前処理することが、ピクセル毎に構成された読出しモードに従って前記取り込まれたライトフィールド画像データを処理することを含む、請求項１に記載の方法。
【請求項７】
前記ピクセル毎に構成された読出しモードに従って前記取り込まれたライトフィールド画像データを処理することが、ピクセルをピクセル毎に処理するために、
ビットマスクと、
少なくとも１つのビットマスクタイルと、
少なくとも１つの重み画像タイルと、
ピクセル毎のオフセットと、
のうちの少なくとも１つを用いることを含む、請求項６に記載の方法。
【請求項８】
前記取り込まれたライトフィールド画像データの前処理が、前記少なくとも１つのセンサ上の少なくとも１つのピクセルのライトフィールド座標に基づいて、可変のビット深度及び可変のピクセル最大値のうちの少なくとも１つを用いることを含む、請求項１に記載の方法。
【請求項９】
前記取り込まれたライトフィールド画像データの前処理が、前記ライトフィールド画像データにライトフィールドアウェア処理を行うことを含む、請求項１に記載の方法。
【請求項１０】
前記取り込まれたライトフィールド画像データの前処理が、
前記決定された読出しモードに従って前記取り込まれたライトフィールド画像データの少なくとも１つのフレームを処理することと、
第２の異なる読出しモードに従って前記取り込まれたライトフィールド画像データの少なくとも１つの他のフレームを処理することと、
を含む、請求項１に記載の方法。
【請求項１１】
前記取り込まれたライトフィールド画像データの前処理が、前記取り込まれたライトフィールド画像データをバッファから複数の異なるパスで読み出すことを含む、請求項１に記載の方法。
【請求項１２】
前記少なくとも１つのセンサが、電荷結合素子（ＣＣＤ）イメージセンサを含み、指定された読出しモードに従う前記取り込まれたライトフィールド画像データの前処理が、前記電荷結合素子（ＣＣＤ）イメージセンサを用いて前記指定された読出しモードを実施することを含む、請求項１に記載の方法。
【請求項１３】
前記電荷結合素子（ＣＣＤ）イメージセンサを用いて前記指定された読出しモードを実施することが、飛越し走査方式の電荷結合素子（ＣＣＤ）イメージセンサを用いて解像度低減読出しモードを実施することを含む、請求項１２に記載の方法。
【請求項１４】
ライトフィールド画像取り込み装置で用いられるコンピュータプログラムであって、前記ライトフィールド画像取り込み装置は少なくとも１つのセンサと処理回路とを含み、前記処理回路は視覚出力を生成するべく取り込まれたライトフィールド画像データを処理するように構成され、前記コンピュータプログラムは取り込まれたライトフィールド画像データのサイズを減らす方法を実行するものであり、前記コンピュータプログラムが、プロセッサで実行されるときに、前記ライトフィールド画像取り込み装置に、
前記少なくとも１つのセンサで、マイクロレンズアレイの出力を表すライトフィールド画像データを取り込ませ、
前記少なくとも１つのセンサの読出しモードを決定させ、
前記取り込まれたライトフィールド画像データのデータサイズを減らすために、前記決定された読出しモードに従って及び前記少なくとも１つのセンサ上のピクセルのライトフィールド座標に基づいて、空間的に変化するように、前記取り込まれたライトフィールド画像データを前処理させ、
前記取り込まれ前処理されたライトフィールド画像データを前記処理回路に送らせる、
ように構成された、コンピュータプログラム。
【請求項１５】
前記コンピュータプログラムが、前記ライトフィールド画像取り込み装置に、
前記決定された読出しモードに従って前記取り込まれたライトフィールド画像データの少なくとも１つのフレームを処理すること、及び
第２の異なる読出しモードに従って前記取り込まれたライトフィールド画像データの少なくとも１つの他のフレームを処理すること、
によって、前記取り込まれたライトフィールド画像データを前処理させるように構成される、請求項１４に記載のコンピュータプログラム。
【請求項１６】
ライトフィールド画像取り込み装置であって、
マイクロレンズアレイと、
前記マイクロレンズアレイの出力を表すライトフィールド画像データを取り込むように構成された少なくとも１つのセンサと、
前記少なくとも１つのセンサの読出しモードを決定し、前記取り込まれたライトフィールド画像データのデータサイズを減らすために、前記決定された読出しモードに従って及び前記少なくとも１つのセンサ上のピクセルのライトフィールド座標に基づいて、空間的に変化するように、前記取り込まれたライトフィールド画像データを前処理するように構成されたプリプロセッサと、
視覚出力を生成するべく前記取り込まれ前処理されたライトフィールド画像データを処理するように構成された処理回路と、
を備える装置。
【請求項１７】
前記プリプロセッサが、
前記決定された読出しモードに従って前記取り込まれたライトフィールド画像データの少なくとも１つのフレームを処理すること、及び
第２の異なる読出しモードに従って前記取り込まれたライトフィールド画像データの少なくとも１つの他のフレームを処理すること、
によって、前記取り込まれたライトフィールド画像データを前処理するように構成される、請求項１６に記載の装置。